(57)【要約】【課題】地盤に管を敷設する際にロケーターワイヤや表示テープ等の管の付属物を損傷や破損から保護する管敷設装置および管敷設工法を提供する。【解決手段】管敷設装置１はパイプスプリッタ３と保護シート４とを備えている。パイプスプリッタ３は保護シート４を取り付けるシート保持部８を有する。地盤にこのパイプスプリッタ３を推進させることで、保護シート４で管２ａの外周面を長手方向に沿って被覆しながら管２ａを地盤に引き込んで敷設する。【選択図】図１
2014173242.tif 000002
【特許請求の範囲】
【請求項１】
地盤に敷設する管の前端を保持する管保持具を備えており、管保持具を地盤の中で推進させることで管を引き込んで敷設する管敷設装置において、
管の外周面を長手方向に沿って被覆する保護シートを備え、
管保持具が保護シートを固定する取付部を有しており、保護シートで管を被覆しながら地盤の中に引き込んで敷設することを特徴とする管敷設装置。
【請求項２】
取付部として保護シートの内周面と外周面とを挟持するシート保持部を有しており、シート保持部は保護シートの外周面に接する外側保持部と、内周面に接する内側保持部とで形成される請求項１記載の管敷設装置。
【請求項３】
シート保持部の内側保持部は、突起と溝が管保持具の推進方向に交互に連続する保護シートに対する係止面を有する請求項２記載の管敷設装置。
【請求項４】
前記突起は、管保持具の推進方向に沿う断面形状が台形山状である請求項３記載の管敷設装置。
【請求項５】
シート保持部の外側保持部は保護シートを内側保持部に対して押圧することで保持する請求項２〜請求項４何れか１項記載の管敷設装置。
【請求項６】
保護シートは、曲率一定で管の外周面を被覆する周長を有する請求項１〜請求項５何れか１項記載の管敷設装置。
【請求項７】
管保持具がパイプスプリッタである請求項１〜請求項６何れか１項記載の管敷設装置。
【請求項８】
管保持具がトーイングヘッドである請求項１〜請求項６何れか１項記載の管敷設装置。
【請求項９】
保護シートを挿通する隙間を介して管の外周面に取り付けられ、保護シートを湾曲変形させて管の外周面に周着させた状態で管を地盤に送り出す送出部を有するシートガイドを備える請求項１〜請求項８何れか１項記載の管敷設装置。
【請求項１０】
送出部は、保護シートを管の外周面に沿わせて湾曲変形させながら送出部に送るガイド部を有する請求項９記載の管敷設装置。
【請求項１１】
送出部は開閉可能な筒状部として形成されており、開閉することで管と保護シートを間に挟み込んで保持する請求項１０記載の管敷設装置。
【請求項１２】
シートガイドは、ガイド部の後端部に斜め上側に向けて屈曲する屈曲部を有し、保護シートを屈曲部に沿わせることで保護シートの送り方向を管保持具の推進方向に転換させる請求項１０または請求項１１記載の管敷設装置。
【請求項１３】
シートガイドは、屈曲部が保護シートの位置決めをする位置決め部を有する請求項１２記載の管敷設装置。
【請求項１４】
地盤に敷設する管の前端を保持する管保持具を地盤の中で推進させることで管を引き込んで敷設する管敷設工法において、
請求項１〜請求項１３何れか１項記載の管敷設装置を用い、管の外周面を保護シートにより長手方向に沿って被覆しながら管を敷設することを特徴とする管敷設工法。
【請求項１５】
保護シートを湾曲変形させて管の外周面に周着させた状態で管を地盤に送り出す請求項１４記載の管敷設工法。
【発明の詳細な説明】
【技術分野】
【０００１】
本発明は、非掘削で管を敷設する管敷設装置および管敷設工法に関する。
【背景技術】
【０００２】
従来、ガス管や水道管などの管を地盤に敷設する際、例えば図９で示すように敷設後に管２ａの位置を探知するためのロケーターワイヤ６ａや、所有者を表示するビニールテープ（表示テープ６ｂ）などの付属物を管２ａに取り付けている。
【発明の概要】
【発明が解決しようとする課題】
【０００３】
しかし、従来の管敷設装置２５を用いた管敷設工法では、非開削により管２ａを地盤に引き込んで敷設するときに、それらの付属物が例えば地盤中の石や既設管の内周面に擦れて損傷を受けたり剥離することがあり、敷設後の管２ａの探知や所有者の確認が困難になることがあった。
【０００４】
本発明は、上記課題を解決するためになされたものである。すなわち、ロケーターワイヤや表示テープ等の付属物の損傷や剥離を防止することで管の位置の探知が困難になったり、所有者の識別が困難になることを予防する管敷設装置および管敷設工法を提供することを目的とする。
【課題を解決するための手段】
【０００５】
上記目的を達成すべく、本発明は以下のように構成される。
すなわち、本発明は地盤に敷設する管の前端を保持する管保持具を備えており、管保持具を地盤の中で推進させることで管を引き込んで敷設する管敷設装置において、管の外周面を長手方向に沿って被覆する保護シートを備え、管保持具が保護シートを固定する取付部を有しており、保護シートで管を被覆しながら地盤の中に引き込んで敷設することを特徴とする管敷設装置を提供する。
【０００６】
本発明は、管の外周面を長手方向に沿って被覆する保護シートを備えるため、管の外周面に固定されるロケーターワイヤや所有者名等が表示される表示テープを外側から保護し、これらの損傷や剥離を防止することができる。また、管保持具が保護シートを固定する取付部を有するため、保護シートで管を被覆しながら敷設する際に管保持具が前方に移動して地盤の圧力や摩擦を受けても、管と保護シートを分離させずに一体として地盤の中に敷設することができる。
【０００７】
前記本発明は、取付部として保護シートの内周面と外周面とを挟持するシート保持部を有しており、シート保持部は保護シートの外周面に接する外側保持部と、内周面に接する内側保持部とで形成される。保護シートを内周面と外周面の両面から固定することで、確実に保護シートを取付部に固定することができる。
【０００８】
前記本発明のシート保持部における内側保持部は、突起と溝が管保持具の推進方向に交互に連続する保護シートに対する係止面を有する。内側保持部がこのような係止面を有するため、内側保持部が凹凸の無い平滑面を有する場合と比較して、保護シートとの摩擦が大きくなり、保護シートを内側保持部に対して確実に係止することができる。また、保護シートが係止面に対して押し付けられることで、保護シートが突起と溝の形状に合わせて変形し、溝の内部に保護シートが入り込み、それが突起に引っ掛かることで強固に保護シートを係止することができる。さらに、突起と溝が管保持具の推進方向に配列されるため、管保持具が推進しても保護シートが外れることなく確実に保持される。
【０００９】
前記本発明の突起は、管保持具の推進方向に沿う断面形状が台形山状である。したがって保護シートを外側保持部と突起における台形山状の平坦面とによって面で保持することができる。また保護シートと上記平坦面とが面接触するため、管保持具が地盤の中を推進する際に保護シートに掛かる引っ張り力が分散し、保護シートが千切れてしまうことを抑制することができる。また、突起が外周側に向けてとがっている場合と比較して、突起によって保護シートに穴が開けられたり、傷つけられるといった事態を予防することができる。
【００１０】
前記本発明は、シート保持部の外側保持部が保護シートを内側保持部に対して押圧することで保持する。そのため保護シートが外側保持部と内側保持部に挟まれた状態で単に接触する場合と比較してより強力に保護シートを保持することができる。
【００１１】
前記本発明の保護シートは、曲率一定で管の外周面を被覆する周長を有する。よって、管保持部が地盤の中を推進する際に保護シートに掛かる力が偏り、保護シートが千切れやすくなるといった不都合を防止することができる。
【００１２】
前記本発明の管保持具は、パイプスプリッタとすることができる。既設管をパイプスプリッタにより長さ方向に沿って切断しつつ、その内側に管を敷設する場合であっても、ロケーターワイヤや表示テープが切断した既設管の内周面と擦れて損傷を受けたり剥離することを防止することができる。
【００１３】
前記本発明の管保持具は、トーイングヘッドとすることができる。管既設管を引き抜いた削孔に管を引き込む場合や、新たに削孔を設けて管を敷設する場合であっても、管保持具がパイプスプリッタである場合と同様に地盤中で土や石に擦れてロケーターワイヤや表示テープが損傷を受けたり剥離することを防止することができる。
【００１４】
前記本発明は、保護シートを挿通する隙間を介して管の外周面に取付けられ、保護シートを湾曲変形させて管の外周面に周着させた状態で管を地盤に送り出す送出部を有するシートガイドを備えるものとすることができる。このような送出部を有するシートガイドを備えることで、保護シートにより確実に管の外周面を被覆することができる。
【００１５】
前記本発明のシートガイドは、保護シートを管の外周面に沿わせて湾曲変形させながら送出部に送るガイド部を有するものとすることができる。よって平坦な保護シートを徐々に湾曲変形させることで、急激に送出部に沿う筒状に変形して保護シートに負荷が掛かり千切れるといった事態を防ぐことができる。
【００１６】
前記本発明の送出部は開閉可能な筒状部として形成されており、開閉することで管と保護シートを間に挟み込んで保持するものとすることができる。これにより、例えば管の先端に送出部よりも大径の管保持具を取り付けた状態であっても、送出部で管と保護シートを側面から挟み込んで保持することができる。
【００１７】
前記本発明のシートガイドは、ガイド部の後端部に斜め上側に向けて屈曲する屈曲部を有し、保護シートを屈曲部に沿わせることで保護シートの送り方向を管保持具の推進方向に転換させるものとすることができる。
保護シートを束ねたロールを、管を敷設するために設けた立坑の外に設置する場合、保護シートは地上から管保持具と管の間に送られる。この場合、シートガイドが屈曲部を有することで、地上から立坑内へ送られた保護シートの送り方向を管保持具の推進方向に転換させることができる。
【００１８】
前記本発明のシートガイドは、屈曲部が保護シートの位置決めをする位置決め部を有する。よって、上側から送られた保護シートが屈曲部から外れることを防止し、確実に保護シートを屈曲部に当接させた状態で管保持具の推進方向に送ることができる。
【００１９】
本発明によれば、地盤に敷設する管の前端を保持する管保持具を地盤の中で推進させることで管を引き込んで敷設する管敷設工法について、前記いずれかの管敷設装置を用いて管の外周面を保護シートにより長手方向に沿って被覆しながら管を敷設する
管敷設工法を提供することができる。
また、前記本発明は保護シートを湾曲変形させて管の外周面に周着させた状態で管を地盤に送り出すことができる。
これらの管敷設工法によれば、ロケーターワイヤや表示テープの損傷や剥離を防止しつつ、前述の管敷設装置と同様の作用・効果を得ることができる。
【発明の効果】
【００２０】
本発明によれば、保護シートによりロケーターワイヤや表示テープ等の付属物を保護することで、敷設後の管の探知や、所有者の判別が困難になることを予防することができる。
【図面の簡単な説明】
【００２１】
【図１】第１実施形態の管敷設装置および管敷設工法を示す説明図である。
【図２】図１のＡ部拡大断面図である。
【図３】図２のＳＡ−ＳＡ断面図である。
【図４】図２のＢ部拡大断面図である。
【図５】分図（ａ）は第１実施形態のシートガイドを示す側面図、分図（ｂ）はその平面図、分図（ｃ）はその底面図である。
【図６】図５のシートガイドの使用状態を示す説明図である。
【図７】第２実施形態の管敷設装置および管敷設工法を示す説明図である。
【図８】図７のＣ部拡大断面図である。
【図９】従来の管敷設装置および管敷設工法を示す説明図である。
【発明を実施するための形態】
【００２２】
以下、本発明の実施形態について図面を参照しながらさらに詳細に説明する。以下の各実施形態で共通する構成については、同一の符号を付して重複説明を省略する。
【００２３】
第１実施形態〔図１〜図６〕：
図１、図２で示すように、第１実施形態の管敷設装置１は管２ａを保持する「管保持具」としてのパイプスプリッタ３、管２ａの外周面を被覆する保護シート４、および保護シート４による管２ａの外周面の被覆をガイドするシートガイド５を備える。また、管２ａには敷設後に管２ａの位置を探知するためのロケーターワイヤ６ａや、管２ａの所有者名を表示する表示テープ６ｂなどの付属物が取り付けられている。
【００２４】
（パイプスプリッタ）
パイプスプリッタ３は金属製の略円筒形状であり、前側部３ａは既設管２ｂよりも小径である。また、後側部３ｂは既設管２ｂよりも大径であり、前側部３ａと後側部３ｂの間にはテーパ状の傾斜部３ｃが形成されている。前側部３ａの側面には既設管２ｂを長手方向に切断するために、４枚のカッター３ｄがパイプスプリッタ３の周方向に対して等間隔で備えられている。
【００２５】
パイプスプリッタ３の後側部３ｂには管２ａに連結するための連結部７が設けられている。連結部７はパイプスプリッタ３に対して固定する固定部７ａと管２ａの先端にはめ込む管接続部７ｂからなる。
【００２６】
既設管２ｂが塩ビ管である場合は特に地盤の中で蛇行している場合があり、パイプスプリッタ３の全長が長いと既設管２ｂの内部を推進させる際に既設管２ｂの内周面に衝突したり、内周面との摩擦が生じやすくなり、管２ａの敷設作業に時間が掛かってしまう。しかし、本実施形態のパイプスプリッタ３では、固定部７ａがパイプスプリッタ３の後側部３ｂの内部に収容されているため、外側に固定部７ａを設ける場合よりもパイプスプリッタ３の全長が短くなっている。よってパイプスプリッタ３が既設管２ｂの中を推進する時間を短縮することができる。
【００２７】
（シート保持部）
図３、図４で示すようにパイプスプリッタ３の後端には「取付部」としてのシート保持部８が設けられており、内側保持部８ａと外側保持部８ｂからなる。内側保持部８ａの係止面９はパイプスプリッタ３の周方向に沿って内側保持部８ａの外周面を一周する突起９ａと溝９ｂを複数有し、それらがパイプスプリッタ３の軸方向に沿って交互に連続して配列される係止面９が設けられている。また図４で示すように突起９ａにおける、パイプスプリッタ３の軸方向に沿う断面形状は台形山状となっている。
【００２８】
外側保持部８ｂは略半筒形状であり、内側保持部８ａの係止面９に対して２つ取り付けられている。そして保護シート４は外側保持部８ｂと内側保持部８ａとの間で挟持されている。２つの外側保持部８ｂにはボルトＢｏがそれぞれ２本ずつ取り付けられており、これらが保護シート４に開けられたボルト孔を貫通して、外側保持部８ｂと保護シート４が内側保持部８ａに対して固定されている。
【００２９】
管２ａの外周面にはロケーターワイヤ６ａが取り付けられており、これが表示テープ６ｂで管２ａに対して固定されている。ロケーターワイヤ６ａの先端には環状部６ｃが形成され、管接続部７ｂに引っ掛けられている。よってパイプスプリッタ３の後側部３ｂの内部には、このロケーターワイヤ６ａの環状部６ｃを収容するための空間６ｄが設けられている。
【００３０】
また、本実施形態の管敷設装置１では、外側保持部８ｂの後端が管接続部７ｂの後端よりも後側に突き出ており、管接続部７ｂの外周面を覆っている。ロケーターワイヤ６ａは先端付近において管接続部７ｂの外周面と接しているため、仮に外側保持部８ｂが管接続部７ｂの外周面を覆わないものとすると、ロケーターワイヤ６ａは部分的に保護シート４および既設管２ｂの内周面と、管接続部７ｂの外周面との間で挟まれることになる。その場合、保護シート４は薄く柔軟なシートであり、管接続部７ｂは硬い金属からなるため、ロケーターワイヤ６ａが管２ａの敷設時に既設管２ｂの内周面から圧迫され、管接続部７ｂの外周面に押し付けられて損傷を受けるおそれがある。そこで、外側保持部８ｂの後端を管接続部７ｂの後端よりも後側に突き出させて、管接続部７ｂの外周面を覆うことで、既設管２ｂの内周面による圧迫からロケーターワイヤ６ａを保護することができる。
【００３１】
（保護シート）
本実施形態では、保護シート４は例えばポリプロピレンなどの樹脂製シートでなり、周長は管２ａに装着された状態で保護シート４の両端が重ならない程度の長さとしている。こうすることで保護シート４の曲率を一定に保ち、管２ａの敷設時に保護シート４の特定箇所に負荷が掛かって千切れてしまうことを防止している。また本実施形態では裁断性や強度を考慮して０．５ｍｍ厚としている。さらに、保護シート４は透明または半透明であり、管２ａを被覆した状態で表示テープ６ｂに表示された管２ａの所有者名を外部から視認できるようになっている。こうすることで、敷設後に管２ａの所有者を確認することができる。
【００３２】
（シートガイド）
図５で示すように、シートガイド５は金属製の分割形状を形成するシートガイド本体５ａと、円板状のストッパー５ｂを備える。またシートガイド本体５ａは送出部１０ａとガイド部１０ｂとを有する。
【００３３】
送出部１０ａは円筒状であり、分割体１０、１０が互いに蝶番で連結されて形成されて開閉可能となっている。送出部１０ａは管２ａと保護シート４に装着することができ、その状態で送出部１０ａと管２ａおよび管２ａに設けられたロケーターワイヤ６ａとの間に保護シート４を収容するための空間６ｄが設けられる程度の外径を有する。
【００３４】
ガイド部１０ｂは円筒状の送出部１０ａの後方からシートガイド５の後端側に向けて、内側に湾曲しながら円筒状が展開して、帯状を形成している。ガイド部１０ｂの後端部には斜め上方に向けて反り返る屈曲部１０ｃが設けられている。さらに屈曲部１０ｃの左右両端には「位置決め部」としてのフランジ１０ｄ、１０ｄが中心軸側に向けて設けられている。
【００３５】
ストッパー５ｂは中央に挿通孔５ｃが設けられた円板状を形成しており、その挿通孔５ｃに送出部１０ａを挿通することで、分割体１０、１０が閉じて送出部１０ａが形成された状態を維持することができる。また同時にシートガイド５が既設管２ｂ内に引き込まれないように、シートガイド５を既設管２ｂの後端側の立坑１１ｂで保持することができる。
【００３６】
（管敷設工法の説明）
以下、本実施形態の管敷設装置１を使用する管敷設工法について説明する。図１で示すようにまず所定の作業単位における既設管２ｂの前端と後端にそれぞれ立坑１１ａ、１１ｂを設け、既設管２ｂの両端を露出させる。前端側の立坑１１ａの地上にはウインチ１２を設ける。また既設管２ｂの前端から後端に向けてワイヤ１３を挿通し、ワイヤ１３の先端をパイプスプリッタ３の先端に接続する。パイプスプリッタ３の後端には連結部７を介して管２ａが連結されている。パイプスプリッタ３の前側部３ａは既設管２ｂよりも小径であり、前側部３ａを既設管２ｂの後端から挿入した状態でウインチ１２を用いてワイヤ１３を引き戻すことで、パイプスプリッタ３が既設管２ｂ中を推進する。この際、パイプスプリッタ３に設けられたカッター３ｄが既設管２ｂを長手方向に沿って帯状に切り裂き、傾斜部３ｃ、および既設管２ｂよりも大径の後側部３ｂによって既設管２ｂを押し拡げながら推進する。このようしてパイプスプリッタ３の後端に連結された管２ａが既設管２ｂの内部に引き込まれて敷設されていく。切り裂かれた既設管２ｂは地盤の中に残され新たに敷設された管２ａを外側から保護する。
【００３７】
（保護シートの取付方法）
パイプスプリッタ３におけるシート保持部８の内側保持部８ａと外側保持部８ｂの間には保護シート４が設けられている。内側保持部８ａが有する突起９ａは、前述のとおりパイプスプリッタ３の軸方向に沿う断面形状が台形山状であるため、台形山状の平坦面において保護シート４と面接触する。よって保護シート４を突起９ａと外側保持部８ｂとにより面で保持することができるため、保護シート４をパイプスプリッタ３に対して確実に固定することができる。また同時にパイプスプリッタ３が地盤の中を推進する際に保護シート４に掛かる引っ張り力を分散させ、千切れにくくすることができる。また突起９ａの先端をとがらせる場合と異なり、突起９ａが保護シート４に突き刺さって穴が開いたり、傷が付いたりといった事態を防止することができる。さらに、外側保持部８ｂは保護シート４を内側保持部８ａに対して外側から強く押し付けることで保持している。その際に、厚さが０．５ｍｍの保護シート４が０．４ｍｍにまで押しつぶされる程度の圧力で、保護シート４を内側保持部８ａに対して押し付けている。こうすることで、保護シート４が変形して溝９ｂの内部に入り込み、それが突起９ａに引っ掛かることで係止することができる。
【００３８】
パイプスプリッタ３を既設管２ｂの後端から挿入する際に管２ａおよび保護シート４の先端付近にシートガイド５を装着する。シートガイド５の送出部１０ａは開閉可能となっているため、送出部１０ａの内側に管２ａと保護シート４を挟み込むことで、パイプスプリッタ３に連結された管２ａと保護シート４に対してシートガイド５を装着することができる。
【００３９】
図６で示すように保護シート４は立坑１１ｂの外側からシートガイド５に向けて送られるため、保護シート４を屈曲部１０ｃに当接させることで、保護シート４の向きを下向きから敷設方向に滑らかに転換することができる。また、屈曲部１０ｃには両側にフランジ１０ｄ、１０ｄが設けられているため、両側のフランジ１０ｄ、１０ｄの間に保護シート４を挟み込むことで保護シート４が屈曲部１０ｃからずれないように、位置決めすることができる。またガイド部１０ｂはシートガイド５の中心軸側に向けて湾曲するため角部をほとんど有さない。よって保護シート４を角部で引っ掛からせることなく送出部１０ａへと送ることができる。
【００４０】
シートガイド５はガイド部１０ｂから送出部１０ａにかけて中心軸側に向けて湾曲しながら徐々に筒状をなしているため、保護シート４はガイド部１０ｂの湾曲面に沿いながら徐々に管２ａの外周面を被覆する筒状を形成する。そして、そのままパイプスプリッタ３の推進に従って、管２ａを被覆しながら管２ａとともに既設管２ｂの内部を進む。シートガイド５には既設管２ｂよりも外径が大きいストッパー５ｂが設けられているため、パイプスプリッタ３が推進しても管２ａに装着された状態で既設管２ｂの後端側に残される。そして管２ａを内部に挿通した状態で、管２ａに対する保護シート４の被覆をガイドし続ける。また、管２ａとともに既設管２ｂの内部へと侵入した保護シート４は管２ａの外周面と既設管２ｂの内周面との間で保持されて、筒状を維持することができる。
【００４１】
以上のように、本実施形態における管敷設装置１およびこれを用いる管敷設工法によれば、既設管２ｂの内側に管２ａを敷設する際に、保護シート４で管２ａを被覆し、ロケーターワイヤ６ａや表示テープ６ｂ等の付属物の損傷や剥離を防止して、敷設後の管２ａの探知が困難になったり、所有者の判別が困難になるといった事態を防止することができる。
【００４２】
第２実施形態〔図７〜図８〕：
第２実施形態は図７、図８で示すように、管敷設装置１４の「管保持具」をトーイングヘッド１５で構成した例である。
【００４３】
（トーイングヘッド）
トーイングヘッド１５は金属製であり、軸部１７、前側連結部１７ａ、「取付部」としてのシート保持部１６および円筒状で管２ａに接続する管接続部１８を備える。またシート保持部１６は外側保持部１６ｂと内側保持部１６ａを備える。
【００４４】
軸部１７は細軸の先端にリング状部１７ｂを有しており、細軸部分はトーイングヘッド１５を軸方向に貫通している。前側連結部１７ａは円筒状でリング状部１７ｂの後方に位置しており、先端付近で外側保持部１６ｂに固定されている。また、ロケーターワイヤ６ａは先端に環状部６ｃを有し、前側連結部１７ａの先端に引っ掛けられている。環状部６ｃは外側保持部１６ｂ、前側連結部１７ａおよび内側保持部１６ａで囲まれた空間１７ｃに収容されている。
【００４５】
（シート保持部）
外側保持部１６ｂは略半筒状であって、先端にテーパ状の傾斜部１６ｄを有している。また、内側保持部１６ａは円筒状で、前側連結部１７ａの後方に位置しており、管敷設装置１における内側保持部８ａと同様に複数の突起９ａと溝９ｂを有している。突起９ａにおけるトーイングヘッド１５の軸方向に沿う断面形状は台形山状である。
【００４６】
２つの外側保持部１６ｂが保護シート４を介してトーイングヘッド１５の内側保持部１６ａに対してボルトＢｏで固定されている。また、外側保持部１６ｂは前側連結部１７ａにもボルトＢｏで固定されている。
内側保持部１６ａには、ロケーターワイヤ６ａが空間１７ｃから後方に向かうための経路として、切欠き１６ｃが設けられている。
【００４７】
（管敷設工法の説明）
以下、本実施形態の管敷設装置１４を使用する管敷設工法について説明する。管敷設装置１４は管敷設装置１とは異なり、既設管２ｂが存在しない地盤を掘削して新たに設けた削孔２４や、既設管２ｂを引き抜き、その削孔に管２ａを敷設する際に用いる。この場合、図７で示すように、掘削ロッド２１を挿管する貫入坑１９ｃを開け、さらに管敷設経路の前端と後端の２か所に立坑１９ａ、１９ｂを設け前端側の立坑１９ａ側の地上に路上設置型の推進機２０を配置する。推進機１９は掘削ロッド２１を押し出すことで地盤の中を掘進させる掘進機能と、掘削ロッド２１の先端に取り付けたトーイングヘッド１５と管２ａを地盤の中に引き込む引き込み機能の両方を有するガイドドリルユニット２２を備えている。また、その近傍には動力源としてパワーユニットを備えるトラック２３を配置する。
【００４８】
まず掘削ロッド２１を貫入坑１９ｃから地盤中に挿入し、立坑１９ａ側から地盤の中を掘進させ、後端の立坑１９ｂに到達後、掘削ロッド２１の先端に管敷設装置１４におけるリング状部１７ｂを取り付ける。その後、今度は管敷設装置１４を地盤の中に引き込みながら管２ａを敷設する。管２ａの敷設時に管敷設装置１の場合と同様に、シートガイド５を用いることで保護シート４を筒状とし、管２ａの外周面に沿わせて滑らかに被覆することができる。また、保護シート４が地盤の中に引き込まれた後は、保護シート４が管２ａと削孔２４の間で筒状に保たれたまま保持される。
【００４９】
以上のように、第２実施形態の管敷設装置１４とこれを使用する管敷設工法によれば既設管２ｂが無い場所であっても、保護シート４によってロケーターワイヤ６ａ、表示テープ６ｂを保護した状態で管２ａを敷設することができる。
【００５０】
各実施形態の変形例：
上記各実施形態の管敷設装置１、１４では、保護シート４を１枚だけ用いる例を示した。しかし、保護シート４を２枚以上積層して用いることもできる。この場合、外側の保護シート４が破れても、内側の保護シート４によってロケーターワイヤ６ａや表示テープ６ｂなどの管２ａの付属物を保護することができる。また、内側の保護シート４を外側の保護シート４よりも柔軟性が高いものとすることで、敷設時または敷設後に地盤内で土圧を受けた場合に、内側の保護シート４がロケーターワイヤ６ａや表示テープ６ｂなどの付属物の形状に合わせて変形し、それらを保護することができる。
【符号の説明】
【００５１】
１      管保持具（第１実施形態）
２ａ    管
２ｂ    既設管
３      パイプスプリッタ
３ａ    前側部
３ｂ    後側部
３ｃ    傾斜部（第１実施形態）
３ｄ    カッター
４      保護シート
５      シートガイド
５ａ    シートガイド本体
５ｂ    ストッパー
５ｃ    挿通孔
６ａ    ロケーターワイヤ
６ｂ    表示テープ
６ｃ    環状部
６ｄ    空間
７      連結部
７ａ    固定部
７ｂ    管接続部
８      シート保持部
８ａ    内側保持部
８ｂ    外側保持部
９      係止面
９ａ    突起
９ｂ    溝
１０      分割体
１０ａ    送出部
１０ｂ    ガイド部
１０ｃ    屈曲部
１０ｄ    フランジ
１１ａ    立坑
１１ｂ    立坑
１２      ウインチ
１３      ワイヤ
１４      管敷設装置（第２実施形態）
１５      トーイングヘッド
１６      シート保持部
１６ａ    内側保持部
１６ｂ    外側保持部
１６ｃ    切欠き
１６ｄ    傾斜部（第２実施形態）
１７      軸部
１７ａ    前側連結部
１７ｂ    リング状部
１７ｃ    空間
１８      管接続部
１９ａ    立坑
１９ｂ    立坑
１９ｃ    貫入坑
２０      推進機
２１      掘削ロッド
２２      ガイドドリルユニット
２３      トラック
２４      削孔
２５      管保持装置（従来技術）
Ｂｏ      ボルト
【図１】
2014173242.tif 000003
【図２】
2014173242.tif 000004
【図３】
2014173242.tif 000005
【図４】
2014173242.tif 000006
【図５】
2014173242.tif 000007
【図６】
2014173242.tif 000008
【図７】
2014173242.tif 000009
【図８】
2014173242.tif 000010
【図９】
2014173242.tif 000011